(57)【要約】      （修正有）【課題】フェルトを効率よく洗浄してフェルト寿命を延長することができるフェルト洗浄剤の提供。【解決手段】炭素数３以上のカルボン酸と、ポリオキシアルキレンエーテル系非イオン界面活性剤とからなるフェルト洗浄剤。【選択図】なし【特許請求の範囲】
【請求項１】
炭素数３以上のカルボン酸と、ポリオキシアルキレンエーテル系非イオン界面活性剤とからなることを特徴とするフェルト洗浄剤。
【請求項２】
カルボン酸と、ポリオキシアルキレンエーテル系非イオン界面活性剤の割合が重量比で１：９９〜８０：２０である請求項１記載のフェルト洗浄剤。
【請求項３】
カルボキシル基の分子量をカルボン酸の分子量で除した値が０．５以上の水溶性カルボン酸である請求項１又は２記載のフェルト洗浄剤。
【発明の詳細な説明】
【技術分野】
【０００１】
本発明はフェルト洗浄剤に関する。
【背景技術】
【０００２】
抄紙工程において、抄き取ったパルプスラリー中の水分を搾水するための濾過材としてフェルトが用いられているが、パルプスラリー中に添加されている各種添加剤がフェルトに付着すると、搾水性が低下して抄紙作業に支障を来すばかりか、フェルトの寿命も低下する虞がある。このためフェルトを洗浄するための洗浄剤が種々用いられている。
【０００３】
フェルト洗浄用として従来から用いられているポリオキシアルキレンエーテル型非イオン界面活性剤は、近年の多様化した汚れに対する除去性能が十分とは言えず、石油系溶剤はフェルトの損傷を生じ易いという問題や、洗浄作業環境や自然環境に悪影響を与える虞があった。このような従来のフェルト洗浄剤の問題を解決することを目的として、塩酸、硫酸、硝酸、燐酸、酢酸の２種以上と、キレート剤と、四級アンモニウム塩型界面活性剤とを含むフェルト洗浄剤（特許文献１）等が提案されている。
【０００４】
【特許文献１】特開２００４−１４９９６６号公報
【発明の開示】
【発明が解決しようとする課題】
【０００５】
しかしながら特許文献１に記載のフェルト洗浄剤は、フェルトを抄紙装置に取り付けた状態で長期間に亘って繰り返し洗浄を行うと、酸として塩酸、硫酸、硝酸を用いると抄紙装置を腐食する虞があるため、洗浄を行うたびにフェルトを抄紙装置から取り外し、取り付けるという煩雑な作業が必要であるとともに、酸として燐酸を使用した場合には洗浄排水中の燐濃度が排出基準値をオーバーする虞があるため使用量が制限される結果、満足な洗浄効果が得られなかったり、排水中の燐濃度が排出基準値以下となるように排水処理を行う必要がある等の問題があった。本発明はかかる従来技術の問題を解決すべくなされたもので、装置を腐食させる虞や排水処理の問題がなく、フェルトを効果的に洗浄することができるフェルト洗浄剤を提供することを目的とする。
【課題を解決するための手段】
【０００６】
即ち本発明は、
（１）炭素数３以上のカルボン酸と、ポリオキシアルキレンエーテル系非イオン界面活性剤とからなることを特徴とするフェルト洗浄剤、
（２）カルボン酸と、ポリオキシアルキレンエーテル系非イオン界面活性剤の割合が重量比で１：９９〜８０：２０である上記（１）のフェルト洗浄剤、
（３）カルボキシル基の分子量をカルボン酸の分子量で除した値が０．５以上の水溶性カルボン酸である上記（１）又は（２）のフェルト洗浄剤、
を要旨とする。
【発明の効果】
【０００７】
本発明のフェルト洗浄剤は金属腐食性の酸を含まないため、フェルトを抄紙装置に取り付けたまま洗浄を繰り返し行っても、抄紙装置を腐食させる虞がないとともに、燐酸を含む洗浄剤のように排水処理等の問題を生じることがなく、抄紙装置のフェルトを効果的に洗浄して寿命を延長することができる効果がある。
【発明を実施するための最良の形態】
【０００８】
本発明において用いるカルボン酸は、炭素数３以上のものであれば、モノカルボン酸に限らず、ジカルボン酸、トリカルボン酸、テトラカルボン酸等のポリカルボン酸も使用することができ、また脂肪族カルボン酸、芳香族カルボン酸、アミノ酸等のいずれも使用することができる。本発明においてカルボン酸としては、例えばマロン酸、フマル酸、マレイン酸、コハク酸、ニトリロ三酢酸、クエン酸、イタコン酸、シトラコン酸、グルタル酸、ＤＬ−アスパラギン酸、イミノジ酢酸、ＤＬ−リンゴ酸、アクリル酸、エチレンジアミン四酢酸、アジピン酸、Ｌ−グルタミン酸、プロピオン酸、酒石酸、イミダゾールー４，５−ジカルボン酸、ジエチレントリアミン五酢酸、トリエチレンテトラミン六酢酸、イソフタル酸、テレフタル酸、２，３−ピリジンジカルボン酸、２，３−ピラジンカルボン酸、シアン酢酸、メタクリル酸、クロトン酸、トランスー１，２−シクロヘキサンジアミン四酢酸、ピルビン酸、イソ酪酸、酪酸、ＤＬ−アラニン、乳酸、メトキシ酢酸、ヒドロキシイソフタル酸、ケリダム酸、セバシン酸、γ−アミノ酪酸、Ｌ−セリン、ナフタレンジカルボン酸、ソルビン酸、Ｌ−プロリン、ドデカン二酸、カプロン酸、レブリン酸、Ｌ−バリン、ＤＬ−トレオニン、Ｌ−シスチン、安息香酸、ブラシル酸、イソニコチン酸、ニコチン酸、ピコリン酸、ピラジンモノカルボン酸、ε−アミノカプロン酸、Ｌ−イソロイシン、ジメチロールプロピオン酸、トルイル酸、フェニル酢酸、アミノ安息香酸、アントラニル酸、ヒドロキシ安息香酸、サリチル酸、アゾビス（シアノ吉草酸）、カプリル酸、オクチル酸、Ｌ−グルタミン、ケイ皮酸、ジメチロールブタン酸、ＤＬ−メチオニン、マンデル酸、ヒドロキシフェニル酢酸、フェノキシ酢酸、３，４ジアミノ安息香酸、３，５ジアミノ安息香酸、シトラジン酸、オロト酸、イソノナン酸、トレネキサム酸、Ｌ−フェニルアラニン、ｍ−ジメチルアミノ安息香酸、ヒドロキシフェニルプロピオン酸、フェノキシプロピオン酸、メトキシフェニル酢酸、３−カルバモイルーピラジンカルボン酸、カプリン酸、ナフトエ酸、キナルジン酸、Ｌ−アルギニン、Ｌ−テアニン、Ｌ−シトルリン、ｔ−ブチル安息香酸、Ｌ−チロシン、ウンデシレン酸、ヒドロキシナフトエ酸、フェルラ酸、グルコン酸、ジフェニルー４−カルボン酸、ラウリン酸、ジヒドロキシナフトエ酸、Ｌ−トリプトファン、ジフェニル酢酸、１２−アミノデカン酸、葉酸、ベンゾイル安息香酸、ベンジル酸、ミリスチン酸、パルミチン酸、オレイン酸、イソステアリン酸、ステアリン酸、シアル酸、ベヘニン酸等が挙げられるが、炭素数３〜１２のものが好ましい。カルボン酸は２種以上を混合して用いることができる。本発明においてカルボン酸のなかでも、下記（１）式で示されるカルボキシル基の分子量をカルボン酸の分子量で除した値が０．５以上のものが、フェルトの洗浄効果に優れるため好ましい。
（数１）
カルボキシル基の分子量／カルボン酸の分子量          （１）
【０００９】
上記（１）式の値が０．５以上の水溶性カルボン酸としては、マロン酸、フマル酸、マレイン酸、コハク酸、ニトリロ三酢酸、クエン酸、イタコン酸、シトラコン酸、グルタル酸、ＤＬ−アスパラギン酸、イミノジ酢酸、ＤＬ−リンゴ酸、アクリル酸、エチレンジアミン四酢酸、アジピン酸、Ｌ−グルタミン酸、プロピオン酸、酒石酸、イミダゾール−４，５−ジカルボン酸、ジエチレントリアミン五酢酸、トリエチレンテトラミン六酢酸、２，３−ピリジンジカルボン酸、２，３−ピラジンカルボン酸、シアン酢酸、メタクリル酸、クロトン酸、トランス−１，２−シクロヘキサンジアミン四酢酸、ピルビン酸、イソ酪酸、酪酸、ＤＬ−アラニン、乳酸、メトキシ酢酸等が挙げられる。
【００１０】
ポリオキシアルキレンエーテル系非イオン界面活性剤としては、アルコール類、カルボン酸類、アミン類、アミド類に、アルキレンオキシドを付加した構造の化合物、或いはポリアルキレングリコールとカルボン酸類とのエステル等が挙げられる。上記アルコール類としては脂肪族アルコール、脂環式アルコール、芳香族アルコール等が挙げられる。脂肪族アルコールとしては炭素数６〜２８の直鎖又は分岐鎖の高級アルコール等が、脂環式アルコールとしてはシクロヘキサノール、アルキルシクロヘキサノール、シクロペンタノール、アルキルシクロペンタノール等が、芳香族アルコールとしてはフェノール、アルキルフェノール等が挙げられる。カルボン酸類としては上記カルボン酸と同様の化合物を用いることができるが炭素数６〜２８の直鎖又は分岐鎖の高級脂肪酸が好ましい。またアミン類としては脂肪族アミン等を用いることができる。脂肪族アミンとしては炭素数６〜２８の直鎖又は分岐鎖の高級アミンが好ましい。アミド類としては脂肪族アミド等を用いることができる。脂肪族アミドとしては炭素数６〜２８の直鎖又は分岐鎖の脂肪酸のモノ又はジアルカノールアミドが好ましい。一方、アルキレンオキシドとしては、エチレンオキシド（ＥＯ）、プロピレンオキシド（ＰＯ）、ブチレンオキシド（ＢＯ）等が挙げらるが、エチレンオキシド、プロピレンオキシドが好ましい。アルキレンオキシドは２種以上をランダム状又はブロック状に付加したものでも良いが、ブロック状に付加したものが低起泡性であるため好ましい。アルキレンオキシドの付加モル数は１〜１００モルが好ましい。またポリアルキレングリコールとカルボン酸類とのエステルの場合、モノエステル、ジエステルのいずれであっても良い。ポリアルキレングリコールとしては、アルキレンオキシドの重合モル数が１〜１００モルに相当する分子量のものが好ましい。
【００１１】
本発明のフェルト洗浄剤は、上記カルボン酸と、ポリオキシアルキレンエーテル系非イオン界面活性剤との割合が、重量比で１：９９〜８０：２０であることが好ましく、１０：９０〜５０：５０であることがより好ましい。ポリオキシアルキレンエーテル系非イオン界面活性剤に対するカルボン酸の割合が上記割合より多いと、有機物の汚れに対する洗浄性が悪くなる虞があり、少ないと無機物の汚れに対する洗浄性が悪くなる虞がある。
【００１２】
本発明の洗浄剤を用いてフェルトを洗浄する場合、フェルトを抄紙装置に取り付けたまま洗浄しても、取り外して洗浄しても良いが、本発明の洗浄剤は抄紙装置を腐食させる虞がないため、フェルトを抄紙装置に取り付けたまま洗浄することが作業効率の上から好ましい。フェルトを洗浄するに際し、本発明の洗浄剤を原液または水で希釈してフェルトに供給することができるが、水で希釈して供給することが好ましい。フェルトを抄紙装置に取り付けたまま洗浄する場合、本発明の洗浄剤を水で希釈してフェルトに噴霧する等の方法で供給した後、搾水する操作を１回乃至数回行い、この後に必要によって更に水をフェルトに供給して搾水する等により洗浄する方法を採用することができる。本発明洗浄剤は、フェルト１ｍ2当たりに対して０．１〜５００ｇ量を目安に使用することが好ましく、水溶液として供給する場合、０．０１重量％濃度以上の希釈液として使用することが好ましい。
【実施例】
【００１３】
以下、実施例を挙げて本発明を更に詳細に説明する。尚、実施例の洗浄剤に用いた非イオン界面活性剤、カルボン酸類を以下に示す。
（Ａ）非イオン界面活性剤
（１）活性剤Ｎｏ１：ラウリルアルコール−ＥＯ（７モル）付加体。
（２）活性剤Ｎｏ２：ステアリルアルコール−ＰＯ（３モル）−ＥＯ（１８モル）ブロック付加体。
（３）活性剤Ｎｏ３：オレイルアルコール−ＥＯ（２０モル）、ＰＯ（４モル）ランダム付加体。
（４）活性剤Ｎｏ４：ステアリルアミン−ＥＯ（１２モル）−ＰＯ（３モル）ブロック付加体。
（５）活性剤Ｎｏ５：ポリエチレングリコール（ＭＷ４００）−ジラウレート。
（６）活性剤Ｎｏ６：ポリエチレングリコール（ＭＷ６００）−セスキステアレート。
（７）活性剤Ｎｏ７：オレイン酸−ＥＯ（３８モル）−ＰＯ（１０モル）ブロック付加体。
（８）活性剤Ｎｏ８：ラウリン酸モノエタノールアミド−ＥＯ（１０モル）付加体。
【００１４】
（Ｂ）カルボン酸類
（１）カルボン酸Ｎｏ１：プロピオン酸
（２）カルボン酸Ｎｏ２：リンゴ酸
（３）カルボン酸Ｎｏ３：乳酸
（４）カルボン酸Ｎｏ４：アスパラギン酸
（５）カルボン酸Ｎｏ５：メタアクリル酸
（６）カルボン酸Ｎｏ６：酪酸
（７）カルボン酸Ｎｏ７：コハク酸
（８）カルボン酸Ｎｏ８：クエン酸
【００１５】
実施例１〜８、比較例１〜４
板紙抄紙ラインにおいて汚れが多量に付着して、搾水性が低下した使用済みのフェルトを取り出し、このフェルトから１ｃｍ×１ｃｍの試験片を切り出し、この試験片８ｇを表１に示す洗浄液中（表１の洗浄剤の０．１重量％水溶液。４０℃、浴比１：３０）で攪拌しながら３０分洗浄し、次いで２回のすすぎ（４０℃×１０分、浴比１：３０）を行った後、８０℃で３時間乾燥させた。洗浄前のフェルトの有機汚れ量、無機汚れ量及び、洗浄後のフェルト試験片に残存する有機汚れ量、無機汚れ量を測定し、有機汚れ、無機汚れの除去率を求めた結果を表１に示す。
【００１６】
（表１）
2006200074.tif 000002
【００１７】
有機汚れ除去率の測定：
洗浄後のフェルト試験片６ｇを、ベンゼン／エタノール混合溶媒（容積比でベンゼン：エタノール＝２：１）を用い、ソックスレー抽出器により６時間還流しながら有機汚れを抽出し、洗浄後のフェルト１ｇ当たりに残存する有機汚れ量（Ｗ１ａ）を求めた。同様にして洗浄前のフェルト１ｇ当たりの有機汚れ量（Ｗ１ｂ）を求め、下記式より有機汚れ除去率を求めた。
（数２）
有機汚れ除去率（％）＝（Ｗ１ｂ−Ｗ１ａ）／Ｗ１ｂ×１００
【００１８】
無機汚れ除去率の測定：
洗浄後のフェルト試験片２ｇを、るつぼ内で燃焼させた後、８００℃の電気炉内で加熱して灰化させ、洗浄後のフェルト１ｇ当たりの灰分量（Ｗ２ａ）を求めた。同様にして洗浄前のフェルト１ｇ当たりの灰分量（Ｗ２ｂ）を求め、下記式より無機汚れ除去率を求めた。
（数３）
無機汚れ除去率（％）＝（Ｗ２ｂ−Ｗ２ａ）／Ｗ２ｂ×１００